(57)【特許請求の範囲】
【請求項１】
各々が独立にオーディオ／映像情報を出力可能な複数の音響ユニットと、
車室内のフロント席から前記複数の音響ユニットのいずれかに対して操作指示を行う第１の操作手段と、
車室内のリヤ席から前記複数の音響ユニットのいずれかに対して操作指示を行う第２の操作手段と、
前記第１，第２の操作手段からの操作指示が与えられた音響ユニットの動作状態に係るオーディオ／映像情報を出力する情報出力手段とを具備し、
前記第１の操作手段が、
前記複数の音響ユニットのいずれかを操作する操作キーを備えた操作部と、
前記操作キーの操作により音響ユニットに対して操作指示を行ったユーザと当該音響ユニットの操作指示が与えられた時点での動作状態を指示するデータとを関連付けた情報を記憶しておくためのユーザ特定情報記憶手段と、
現在動作中の第１の音響ユニットに対して他の第２の音響ユニットからの割り込み処理があったときに、前記ユーザ特定情報記憶手段に記憶されている情報を参照して、前記第１の音響ユニットが１人のユーザによって使用されているか、２人以上のユーザによって共用されているかを判定する制御部とを有し、
前記第１の音響ユニットが１人のユーザによって使用されていると判定されたときは、前記割り込み処理が行われている期間中、前記第１の音響ユニットの動作を停止もしくは一時停止させる処理を行い、
前記第１の音響ユニットが２人以上のユーザによって共用されていると判定されたときは、前記割り込み処理が行われている期間中、前記第１の音響ユニットの動作を継続させる処理を行うことを特徴とする車載用音響システム。
【請求項２】
前記情報出力手段は、
前記第１の操作手段からの操作指示が与えられた音響ユニットの動作状態に係るオーディオ情報及び映像情報を提供するスピーカ及びディスプレイと、
前記第２の操作手段からの操作指示が与えられた音響ユニットの動作状態に係るオーディオ情報及び映像情報を提供するヘッドホン及びディスプレイとを有していることを特徴とする請求項１に記載の車載用音響システム。
【発明の詳細な説明】
【０００１】
【発明の属する技術分野】
本発明は、車載用音響システムに係り、特に、後部座席（リヤ席）のユーザに対してＣＤチェンジャ（ＣＤＣ）やラジオチューナ等のオーディオ情報、テレビ（ＴＶ）やＤＶＤ等の映像情報などのエンターテイメントを提供するリヤ席用音響システムを備えた車載用音響システムにおいて、現在動作中のオーディオ／映像ソースに対して他のオーディオ／映像ソースからの割り込み処理があったときの対処に係る処理技術に関する。
【０００２】
以下の記述では、上記のＣＤＣ、ＴＶ等以外で、同様にオーディオ／映像情報を出力可能なソース（電話機等の通信機器、ナビゲーションユニット、音声認識ユニットなど）についても、便宜上、「音響ユニット」と称する。
【０００３】
【従来の技術】
従来の車載用音響システムにおいて、リヤ席用音響システム（リヤ席用エンターテイメントシステム（ＲＥＳ：Rear Entertainment System ）とも呼ばれている。）には、リヤ席に搭乗しているユーザが音響ユニット（オーディオ／映像ソース）の選択や音量調整等の操作を行うための操作ユニット、選択されたソースから出力されるオーディオ信号に応じたオーディオ音を受聴するためのヘッドホン、同じくソースから出力される映像信号に応じた情報を表示するディスプレイなどが用意されている。
【０００４】
リヤ席のユーザが操作ユニットを操作し、そのヘッドホン／ディスプレイにどのソースのオーディオ／映像情報を出力させるかを選択指示し、或いはヘッドホン／ディスプレイに出力されているオーディオ／映像情報に係るソースに対して操作指示（シーク・アップ／ダウン、音量調整等）を与えることで、その指示に基づいて変更されたソースの動作状態が、ヘッドホンを通して受聴され、またディスプレイを通して表示される。
【０００５】
また、フロント席用の音響システムについても、ＲＥＳと同様の装備を備えており、ヘッドホンに代えてスピーカを備えている点で相違するのみである。そして、ＲＥＳと同様にして、操作ユニットからの操作指示が与えられた音響ユニット（オーディオ／映像ソース）の動作状態が、スピーカを通して受聴され、またディスプレイを通して表示される。
【０００６】
かかる従来の車載用音響システムでは、現在動作中のソース（「ソースＡ」とする）に対して他のソース（「ソースＢ」とする）から割り込み処理があった場合、その対処法として典型的には、ソースＡのオーディオ／映像情報をミュートしてソースＢのオーディオ／映像情報へと切り替え、ソースＢからの割り込み処理が終了した後、元のソースＡのオーディオ／映像情報へと切り替える処理が行われている。
【０００７】
この処理形態は、更に２つの形態に大別され、一方は、ソースＢからの割り込み処理が行われている期間中、ソースＡの動作を停止もしくは一時停止させる処理であり、もう一方は、ソースＢからの割り込み処理があった場合でも、ソースＡの動作をそのまま継続させる処理である。
以下の記述では、便宜上、前者の処理形態を「ＳＴＯＰ／ＰＡＵＳＥ処理モード」、後者の処理形態を「ＰＬＡＹ処理モード」と呼ぶことにする。
【０００８】
【発明が解決しようとする課題】
上述した割り込み処理の際に行う２つの処理形態（ＳＴＯＰ／ＰＡＵＳＥ処理モードとＰＬＡＹ処理モード）には、以下のような課題がある。
先ず、ＳＴＯＰ／ＰＡＵＳＥ処理モードの場合、ソースＡが２人以上のユーザによって共用されていた場合、ソースＢ（割り込み処理を行う側のソース）に関与しないユーザにとっては、ソースＢからの割り込み処理が終了するまではソースＡを利用できないという不便さがある。以下、具体例を挙げて説明する。
【０００９】
今、ソースＡをフロント席用の操作ユニット（ヘッドユニット（ＨＵ）ともいう。）の配下にあるカセットテープデッキとし、ソースＢをナビゲーションユニット（音声ガイダンス）とする。
ソースＢからの割り込み処理が発生する前は、フロント席のユーザは、スピーカを介してソースＡ（カセットテープデッキ）の動作状態を受聴し、リヤ席のユーザは、ヘッドホンを介して同じソースＡの動作状態を受聴している。
【００１０】
この状態で、ソースＢからの割り込み処理（ナビゲーションユニットによる音声ガイダンス）が発生すると、スピーカは、音声ガイダンスを提供するのに使用されるため、ソースＡの動作は停止もしくは一時停止される。
このため、ソースＡを使用していたリヤ席のユーザは、フロント席のユーザに対するナビゲーションユニットによる音声ガイダンスが終了するまで、ソースＡを利用することができない。
【００１１】
一方、ＰＬＡＹ処理モードの場合、ソースＡが２人以上のユーザによって共用されていた場合でも、ソースＡ（割り込みされる側のソース）に関与しないユーザには何ら影響を与えないという利点がある。
しかしながら、ソースＡが１人のユーザによって使用されている場合でも、ソースＢからの割り込み処理（ナビゲーションユニットによる音声ガイダンス）が行われている期間中は、ソースＡの動作（テープの再生）は継続しているため、この割り込み期間中に他のユーザはソースＡを利用することができないという不便さがある。
【００１２】
このように、ＳＴＯＰ／ＰＡＵＳＥ処理モードとＰＬＡＹ処理モードのいずれの場合にも、システム内に組み込まれた複数のソースを複数のユーザが使用する際に、場合によっては利用できないソースが存在し、利用に関してユーザの利便性が損なわれるといった課題があった。
また、ＰＬＡＹ処理モードにおいてソースＡが１人のユーザによって使用されている場合に、ソースＢからの割り込み処理が発生してもその事実は他のユーザには判らないため、他のユーザから見れば、ソースＡを利用できないことに違和感を覚えるといった不都合もある。
【００１３】
本発明は、上述した従来技術における課題に鑑み創作されたもので、複数のソースを複数のユーザが使用する際に、ユーザに違和感を与えることなく、ユーザの利便性を向上させることができる車載用音響システムを提供することを目的とする。
【００１４】
【課題を解決するための手段】
上述した従来技術の課題を解決するため、本発明によれば、各々が独立にオーディオ／映像情報を出力可能な複数の音響ユニットと、車室内のフロント席から前記複数の音響ユニットのいずれかに対して操作指示を行う第１の操作手段と、車室内のリヤ席から前記複数の音響ユニットのいずれかに対して操作指示を行う第２の操作手段と、前記第１，第２の操作手段からの操作指示が与えられた音響ユニットの動作状態に係るオーディオ／映像情報を出力する情報出力手段とを具備し、前記第１の操作手段が、前記複数の音響ユニットのいずれかを操作する操作キーを備えた操作部と、前記操作キーの操作により音響ユニットに対して操作指示を行ったユーザと当該音響ユニットの操作指示が与えられた時点での動作状態を指示するデータとを関連付けた情報を記憶しておくためのユーザ特定情報記憶手段と、現在動作中の第１の音響ユニットに対して他の第２の音響ユニットからの割り込み処理があったときに、前記ユーザ特定情報記憶手段に記憶されている情報を参照して、前記第１の音響ユニットが１人のユーザによって使用されているか２人以上のユーザによって共用されているかを判定する制御部とを有し、前記第１の音響ユニットが１人のユーザによって使用されていると判定されたときは、前記割り込み処理が行われている期間中、前記第１の音響ユニットの動作を停止もしくは一時停止させる処理を行い、前記第１の音響ユニットが２人以上のユーザによって共用されていると判定されたときは、前記割り込み処理が行われている期間中、前記第１の音響ユニットの動作を継続させる処理を行うことを特徴とする車載用音響システムが提供される。
【００１５】
本発明に係る車載用音響システムによれば、現在動作中の第１のソース（音響ユニット）に対して他の第２のソース（音響ユニット）からの割り込み処理があったときに、第１のソースが１人のユーザによって使用されているか、２人以上のユーザによって共用されているかを判定した結果に基づいて、割り込み時の処理形態を変えている。
【００１６】
すなわち、１人のユーザによって使用されている場合は、第１のソースの動作を停止もしくは一時停止させる処理（ＳＴＯＰ／ＰＡＵＳＥ処理モードの処理）を行い、２人以上のユーザによって共用されている場合は、第１のソースの動作を継続させる処理（ＰＬＡＹ処理モードの処理）を行うようにしている。
これによって、従来のようにソースＡを１人のユーザが使用している場合においてＰＬＡＹ処理モードの処理を行っていたときに見られたような不都合（割り込み期間中に他のユーザがソースＡを利用できないという不便さ）や、ソースＡを２人以上のユーザによって共用している場合においてＳＴＯＰ／ＰＡＵＳＥ処理モードの処理を行っていたときに見られたような不都合（割り込み処理が終了するまでソースＡを利用できないという不便さ）は発生しない。
【００１７】
その結果、複数のソースを複数のユーザが使用する際に、ユーザに違和感を与えることなく、ユーザの利便性を向上させることが可能となる。
【００１８】
【発明の実施の形態】
以下、本発明の実施の形態について、添付の図面を参照しながら説明する。
図１は本発明の一実施形態に係る車載用音響システムの概略構成をブロック図の形態で示したものである。
本実施形態に係る車載用音響システムは、各種のソース（音響ユニット）に対してフロント席及びリヤ席からそれぞれ操作指示を行うフロント席用操作ユニット（ＨＵ）１及びリヤ席用操作ユニット２を備えて構成されており、これら各操作ユニットは伝送路として供される光ファイバ等のバス３を介して接続されている。また、フロント席用操作ユニット１にはスピーカ４及びディスプレイ５が接続され、リヤ席用操作ユニット２にはヘッドホン６及びディスプレイ７が接続されている。図示の例では、説明の簡単化のため、フロント席用操作ユニット１にスピーカ４が１つだけ接続されているが、実際には、２つ又は４つのスピーカ４が車室内の所定位置に設置されている。同様にリヤ席用操作ユニット２についても、実際には、２つのヘッドホン６及び２つのディスプレイ７がリヤ席側の左右の所定位置にそれぞれ設置されている。
【００１９】
また、各種のソース（音響ユニット）としては、ラジオチューナ３１、カセットテープデッキ３２、ＣＤＣ３３、アンプユニット（ＡＭＰ）３４、ナビゲーションユニット３５、音声認識ユニット３６、通信機器（電話機等）３７、ＴＶ３８及びエキストラユニット（ＤＶＤ、ゲーム機等）３９が包含されている。このうち、３１〜３７の各ソースはバス３に接続されており、ＴＶ３８はフロント席用操作ユニット１に、エキストラユニット３９はリヤ席用操作ユニット２にそれぞれ接続されている。
【００２０】
また、本実施形態の車載用音響システムにおいて、リヤ席用操作ユニット２、ヘッドホン６、ディスプレイ７及びエキストラユニット３９は、リヤ席用音響システム（リヤ席用エンターテイメントシステム）ＲＥＳを構成する。
フロント席用操作ユニット１は、運転者や助手席の搭乗者など車室内のフロント側にいるユーザが各ソースの選択や音量・音質調整等の操作を行うためのものであり、車室内のフロント側の所定位置に設置されている。このフロント席用操作ユニット１は、ユーザから与えられた操作指示に従って、ＣＤＣ３３等の各ソースの中から１つを選択し、選択したソースから出力されるオーディオ／映像データをバス３を介して受信し、受信したデータに基づいて、スピーカ４にアナログのオーディオ信号を出力し、またディスプレイ５にアナログの映像信号を出力する。これによって、フロント側のユーザは、スピーカ４から出力されるオーディオ信号に応じたオーディオ音を受聴し、ディスプレイ５の画面に表示される映像信号に応じた情報を見ることができる。このフロント席用操作ユニット１の構成については、後述する。
【００２１】
リヤ席用操作ユニット２は、車室内のリヤ席に搭乗しているユーザが各ソースの選択や音量・音質調整等の操作を行うためのものであり、車室内のリヤ側の所定位置に設置されている。このリヤ席用操作ユニット２は、フロント席用操作ユニット１と同様に、ユーザから与えられた操作指示に従って、ＣＤＣ３３等の各ソースの中から１つを選択し、選択したソースから出力されるオーディオ／映像データをバス３を介して受信し、受信したデータに基づいて、ヘッドホン６にアナログのオーディオ信号を出力し、またディスプレイ７にアナログの映像信号を出力する。これによって、リヤ側のユーザは、ヘッドホン６から出力されるオーディオ信号に応じたオーディオ音を受聴し、ディスプレイ７の画面に表示される映像信号に応じた情報を見ることができる。このリヤ席用操作ユニット２の構成については、後述する。
【００２２】
各ソース３１〜３９は、基本的な動作として、各操作ユニット１，２からバス３を介して与えられる操作指示に係るデータを受信し、受信したデータに基づいて自己ソースの動作状態を変更し、その変更した結果（現在の動作状態）を指示するデータをオーディオ／映像信号として、バス３を介して操作指示を出力した操作ユニット１，２に向けて送信する。
【００２３】
例えば、ラジオチューナ３１の場合、各操作ユニット１，２から与えられる操作指示に応答して、ＦＭ放送やＡＭ放送の信号を受信して復調することにより音声信号を生成し、これをデジタルのオーディオデータに変換して、バス３を介して操作指示を出力した操作ユニット１，２に向けて送信する。また、ＣＤＣ３３の場合、複数枚のＣＤが装填されており、各操作ユニット１，２から与えられる操作指示に応答して、ユーザにより選択されたＣＤの記録面に記録された信号を読み取り、再生されたオーディオデータをバス３を介して操作指示を出力した操作ユニット１，２に向けて送信する。
【００２４】
フロント席用操作ユニット１は、操作部１１、通信制御部１２、操作ユニット別情報格納部１３、制御部１４、表示部１５、音声出力部１６、映像出力部１７及びユーザ別情報格納部１８を備えて構成されている。
操作部１１は、フロント席に搭乗しているユーザが各種の操作指示を入力するためのものであり、電源キー、数字キー等の各種の操作キーを備えている。
【００２５】
通信制御部１２は、制御部１４から出力される各種データを所定の通信フォーマットに変換し、バス３を介してリヤ席用操作ユニット２や各ソース（ラジオチューナ３１、ＣＤＣ３３等）に向けて送信する。また、通信制御部１２は、バス３を介してリヤ席用操作ユニット２や各ソースから送信された各種データを受信し、これらのデータに対して所定の復調処理を行った後、制御部１４、音声出力部１６又は映像出力部１７に向けて出力する。
【００２６】
操作ユニット別情報格納部１３は、フロント席用操作ユニット１において、電源をオフにする旨の指示がなされ、オーディオ／映像信号の出力動作が停止された時点でのオーディオ／映像情報の取得状態を示すデータ（便宜上、「取得状態データ」という。）を格納している。この取得状態データは、次の電源オン時に必要に応じて参照するために記憶されるものである。
【００２７】
この取得状態データとしては、例えば、各ソース（ラジオチューナ３１、ＣＤＣ３３等）の中でいずれのソース（音響ユニット）を使用していたかを指示する「ユニット種別」、オーディオユニットであればそのオーディオ音を聴取していた際の音量や音質の調整値を指示する「音量・音質」、各音響ユニット別の詳細な取得状態を指示する「ユニット別詳細情報」などが考慮される。ユニット別詳細情報の具体的な内容としては、例えば、ラジオチューナ３１を使用していた場合であれば、ＦＭ／ＡＭの種別や放送局（受信周波数）の情報等が、ＣＤＣ３３を使用していた場合であれば、複数枚装填されているＣＤの中でいずれのＣＤを再生していたかを示すディスク番号や何曲目の頭からどれくらいの時間が経過した位置を再生していたかを示す再生位置の情報等が格納されている。
【００２８】
制御部１４は、フロント席用操作ユニット１全体の制御を行うものである。具体的には、制御部１４は、フロント席のユーザから操作部１１を介して与えられた操作指示に応答して、各ソースからオーディオ／映像データを取得してオーディオ／映像情報の再生を行う動作、操作状況等を指示する情報を表示部１５に表示させる動作、取得状態データの格納動作や読み出し動作等の制御を行う。
【００２９】
表示部１５は、制御部１４から出力されるデータに基づいて、各種情報、例えば、ラジオチューナ３１に関してはＦＭ／ＡＭ放送受信時の受信周波数等、ＣＤＣ３３に関してはＣＤ演奏時のディスク番号や再生位置（トラック数、経過時間等）などを表示する。
音声出力部１６は、選択したソースから出力されるオーディオデータをバス３を介して通信制御部１２から受け取り、このデータをアナログのオーディオ信号に変換してスピーカ４に出力する。また、音声出力部１６は、制御部１４から与えられる指示に従って、音量や音質の制御を行う。
【００３０】
同様に、映像出力部１７は、選択したソースから出力される映像データをバス３を介して通信制御部１２から受け取り、このデータをアナログの映像信号に変換してディスプレイ５に出力する。また、映像出力部１７は、制御部１４から与えられる指示に従って、映像情報の表示に係る制御を行う。
ユーザ別情報格納部１８は、各操作ユニット１，２を操作するユーザを識別するための情報（ユーザＩＤ）を登録し、このユーザＩＤと、各操作ユニット１，２のいずれかを用いてオーディオ／映像情報の取得を行った際の取得状態データとを１対１に対応付けて、ユーザ別情報として格納している。
【００３１】
このユーザ別情報は、フロント席用操作ユニット１を操作したユーザに対応して格納されるものの他に、リヤ席用操作ユニット２を操作したユーザに対応するデータについても、バス３を介してフロント席用操作ユニット１に送信され、ユーザ別情報格納部１８に格納される。
一方、リヤ席用操作ユニット２についても、基本的にはフロント席用操作ユニット１と同様の内部構成（操作部２１、通信制御部２２、操作ユニット別情報格納部２３、制御部２４、表示部２５、音声出力部２６及び映像出力部２７）を有しており、上述したユーザ別情報格納部１８に相当するユニットを有していない点で相違するのみである。
【００３２】
図２は本システムにおけるリヤ席用操作ユニット２の外観構成を平面図の形態で模式的に示したものである。
図示のように、筐体の上側に表示部２５が配置されており、その下に、各種操作キーを備えた操作部２１が配置されている。表示部２５には、例えば、１４セグメント／１７ビット表示の液晶ディスプレイ（ＬＣＤ）が用いられる。また、操作部２１には、数字キー２１ａ、ソース選択キー２１ｂ、電源キー２１ｃ，２１ｄ、及びシフトキー２１ｅが設けられている。
【００３３】
ソース選択キー２１ｂについては、これを１回ずつ操作（押下）する毎に、本システムに含まれる各音響ユニット（オーディオソース／映像ソース）が所定の順序に従って順次選択される。このとき、選択されたソースに係る情報が表示部２５に表示される。また、各電源キー２１ｃ，２１ｄは、リヤ席左右のユーザがそれぞれ電源のオン／オフ（ＯＮ／ＯＦＦ）及び音量調整（ＶＯＬ．）を行うためのものである。シフトキー２１ｅについては、各矢印の付いた部分を操作することでＦＦ／ＲＥＷ動作、シーク・アップ／ダウン動作等の操作を指示する。
【００３４】
さらに、ユニット表面の左下及び右下には、それぞれ音声出力部２６の出力端子として供されるジャック２１０ａ及び２１０ｂが設けられている。リヤ席左右のユーザは、各ジャック２１０ａ，２１０ｂにそれぞれヘッドホン６を接続することにより、オーディオ音を聴取することができる。また、左右の各ジャック２１０ａ，２１０ｂの間の部分に、エキストラユニット（ＤＶＤ、ゲーム機等）３９用のジャック２２０が設けられている。
【００３５】
なお、フロント席用操作ユニット１についても、基本的にはリヤ席用操作ユニット２と同様の外観構成を有している。但し、フロント席用操作ユニット１の場合、ヘッドホン６用のジャック２１０ａ，２１０ｂとエキストラユニット３９用のジャック２２０は省略されており、また、電源キー２１ｃ，２１ｄについては１つのみ設けられる。
【００３６】
本実施形態に係る車載用音響システムにおいて、ソース３１〜３９が「音響ユニット」に、フロント席用操作ユニット１が「第１の操作手段」に、リヤ席用操作ユニット２が「第２の操作手段」に、スピーカ４、ディスプレイ５、ヘッドホン６及びディスプレイ７が「情報出力手段」に、ユーザ別情報格納部１８が「ユーザ特定情報記憶手段」に、それぞれ対応している。
【００３７】
本実施形態に係る車載用音響システムは、後述するように、フロント席用操作ユニット（ＨＵ）１における制御部１４が、現在動作中のソース（ソースＡ）に対して他のソース（ソースＢ）から割り込み処理があったときに、ユーザ別情報格納部１８に格納されている情報を参照して、ソースＡが１人のユーザによって使用されているか、２人以上のユーザによって共用されているかを判定し、その判定結果に基づき、ソースＡが１人のユーザによって使用されている場合には、ＳＴＯＰ／ＰＡＵＳＥ処理モードの処理を行い、ソースＡが２人以上のユーザによって共用されている場合には、ＰＬＡＹ処理モードの処理を行うようにしたことを特徴とする。
【００３８】
以下、本実施形態の車載用音響システムが行う動作について、その動作に係る状態遷移を表した図３〜図５を参照しながら説明する。
図３は、ソースＡが１人のユーザによって使用されている場合の処理、すなわちＳＴＯＰ／ＰＡＵＳＥ処理モード時の処理の一例を示したものである。
先ず、ソースＡをフロント席用操作ユニット（ＨＵ）１の配下にあるカセットテープデッキ３２とし、ソースＢをナビゲーションユニット３５（音声ガイダンス）とする。
【００３９】
ソースＢからの割り込み処理が発生する前は、フロント席のユーザは、ＡＭＰ３４を介してスピーカ４からソースＡ（カセットテープデッキ３２）の動作状態を受聴している。
この状態で、ソースＢからの割り込み処理（ナビゲーションユニット３５による音声ガイダンス）が発生すると、上述したように、ＨＵ１における制御部１４は、ソースＡが１人のユーザによって使用されているか、２人以上のユーザによって共用されているかを判定する。この場合、前者に該当するので、ＳＴＯＰ／ＰＡＵＳＥ処理モードの処理を行う。
【００４０】
すなわち、ソースＡの動作（テープの再生）を一時停止（ポーズ）させ、ナビゲーションユニット３５に対して割り込みを許可する。その一方で、ナビゲーションユニット３５による音声ガイダンス（音声出力）が、ＡＭＰ３４を介してスピーカ４から提供される。
ソースＢからの割り込み処理が終了すると、ＨＵ１（制御部１４）は、ソースＡの動作（テープの再生）の一時停止（ポーズ）を解除し、テープの再生を開始させる（ＡＭＰ３４を介してのスピーカ４からの再出力）。
【００４１】
図４は、ソースＡが２人以上のユーザによって共用されている場合の処理、すなわちＰＬＡＹ処理モード時の処理の一例を示したものである。
同様に、ソースＡをフロント席用操作ユニット（ＨＵ）１の配下にあるカセットテープデッキ３２とし、ソースＢをナビゲーションユニット３５（音声ガイダンス）とする。
【００４２】
ソースＢからの割り込み処理が発生する前は、フロント席のユーザは、ＡＭＰ３４を介してスピーカ４からソースＡ（カセットテープデッキ３２）の動作状態を受聴し、リヤ席のユーザ（ＲＥＳ２）は、ヘッドホン６を介して同じソースＡの動作状態を受聴している。
この状態で、ソースＢからの割り込み処理（ナビゲーションユニット３５による音声ガイダンス）が発生すると、上述したように、ＨＵ１における制御部１４は、ソースＡが１人のユーザによって使用されているか、２人以上のユーザによって共用されているかを判定する。この場合、後者に該当するので、ＰＬＡＹ処理モードの処理を行う。
【００４３】
すなわち、ソースＡの動作（テープの再生）の一時停止（ポーズ）を行わず、ナビゲーションユニット３５に対して割り込みを許可する。その一方で、ナビゲーションユニット３５による音声ガイダンス（音声出力）が、ＡＭＰ３４を介してスピーカ４から提供される。
ソースＢからの割り込み処理が終了すると、ＨＵ１（制御部１４）は、ソースＡの動作（テープの再生）の一時停止（ポーズ）を解除し、テープの再生を開始させる（ＡＭＰ３４を介してのスピーカ４からの再出力）。
【００４４】
図５は、ソースＡが１人のユーザによって使用されている状態から２人以上のユーザによって共用される状態に移行する場合の処理、すなわちＳＴＯＰ／ＰＡＵＳＥ処理モードからＰＬＡＹ処理モードへの移行時の処理の一例を示したものである。
先ず、ソースＡをフロント席用操作ユニット（ＨＵ）１の配下にあるカセットテープデッキ３２とし、ソースＢをハンズフリーの電話機３７とし、さらにソースＣをＣＤＣ３３とする。
【００４５】
ソースＢからの割り込み処理が発生する前は、フロント席のユーザは、ＡＭＰ３４を介してスピーカ４からソースＡ（カセットテープデッキ３２）の動作状態を受聴し、リヤ席のユーザ（ＲＥＳ２）は、ヘッドホン６を介してソースＣ（ＣＤＣ３３）の動作状態を受聴している。
この状態で、ソースＢからの割り込み処理（電話機３７による通話）が発生すると、上述したように、ＨＵ１における制御部１４は、ソースＡが１人のユーザによって使用されているか、２人以上のユーザによって共用されているかを判定する。この時点では、前者に該当するので、ＳＴＯＰ／ＰＡＵＳＥ処理モードの処理を行う。
【００４６】
すなわち、ソースＡの動作（テープの再生）を一時停止（ポーズ）させ、電話機３７に対して割り込みを許可する。その一方で、電話機３７による通話（音声出力）が、ＡＭＰ３４を介してスピーカ４から提供される。
この状態で、リヤ席のユーザ（ＲＥＳ２）からＨＵ１に、現在受聴しているソースＣ（ＣＤＣ３３）からソースＡ（カセットテープデッキ３２）への変更要求があったものとする。このとき、ソースＡが１人のユーザによって使用されている状態から２人以上のユーザによって共用される状態に移行する。
【００４７】
これに応答して、ＨＵ１における制御部１４は、上述した判定処理を行い、その結果に基づいて、ＰＬＡＹ処理モードの処理を行う。
すなわち、ＨＵ１（制御部１４）は、ソースＡの動作（テープの再生）の一時停止（ポーズ）を解除し、ＲＥＳ２に対してテープの再生を開始させる。これによって、リヤ席のユーザ（ＲＥＳ２）は、ヘッドホン６を介してソースＡ（カセットテープデッキ３２）の動作状態を受聴することができる。
【００４８】
そして、割り込み処理が終了すると、ＨＵ１（制御部１４）は、ＡＭＰ３４を介してスピーカ４に対しテープの再出力を開始させる。
以上説明したように、本実施形態に係る車載用音響システムによれば、現在動作中のソースＡに対して他のソースＢからの割り込み処理があったときに、ソースＡが１人のユーザによって使用されているか、２人以上のユーザによって共用されているかを判定した結果に基づいて、その後の処理形態を変えている。
【００４９】
すなわち、１人のユーザによって使用されている場合には、ソースＢからの割り込み処理が行われている期間中、ソースＡの動作を停止もしくは一時停止させる処理（ＳＴＯＰ／ＰＡＵＳＥ処理モードの処理）を行っている。一方、２人以上のユーザによって共用されている場合には、ソースＢからの割り込み処理が行われている期間中、ソースＡの動作を継続させる処理（ＰＬＡＹ処理モードの処理）を行っている。
【００５０】
これによって、従来のようにソースＡを１人のユーザが使用している場合においてＰＬＡＹ処理モードの処理を行っていたときに見られたような不都合（割り込み期間中に他のユーザがソースＡを利用できないという不便さ）や、ソースＡを２人以上のユーザによって共用している場合においてＳＴＯＰ／ＰＡＵＳＥ処理モードの処理を行っていたときに見られたような不都合（割り込み処理が終了するまでソースＡを利用できないという不便さ）を解消することができる。その結果、複数のソースを複数のユーザが使用する際に、ユーザに違和感を与えることなく、ユーザの利便性を向上させることが可能となる。
【００５１】
また、上述した実施形態では、リヤ席用操作ユニット２を、リヤ席の左側及び右側に搭乗するユーザが共用して操作できるように車室内の所定の１箇所に配置した場合について説明したが、リヤ席用操作ユニット２の配置形態はこれに限定されないことはもちろんである。例えば、リヤ席の左側及び右側に搭乗するユーザが別々に操作できるように車室内の所定の２箇所に分けて配置してもよい。この場合、電源キー２１ｃ，２１ｄ（図２参照）は、１つのみ設けられる。
【００５２】
また、上述した各実施形態では、オーディオ／映像信号をデジタルデータに変換し、バス３を介して各ソースから各操作ユニット１，２に送信する場合について説明したが、送信形態はこれに限定されないことはもちろんである。例えば、バス３とは別系統のアナログ線を用いて、各操作ユニット１，２内の音声出力部及び映像出力部（映像切替部）に対し直接送信するようにしてもよい。このようにオーディオ／映像信号を送るアナログ線と、各操作ユニット１，２と各ソースの間における制御信号を送るバス３とを別系統にすることで、通信容量の少ないバスを用いた場合であっても、本発明に係る車載用音響システムを構築することができる。
【００５３】
【発明の効果】
以上説明したように本発明によれば、現在動作中のソースに対して他から割り込み処理があったときに、当該ソースが１人のユーザによって使用されているか２人以上のユーザによって共用されているかを判定した結果に基づいてその後の処理形態を変えることにより、複数のソースを複数のユーザが使用する際に、ユーザに違和感を与えることなく、ユーザの利便性の向上を図ることができる。
【図面の簡単な説明】
【図１】本発明の一実施形態に係る車載用音響システムの構成を概略的に示すブロック図である。
【図２】図１のシステムにおけるリヤ席用操作ユニットの外観構成を模式的に示す平面図である。
【図３】図１の車載用音響システムが行うＳＴＯＰ／ＰＡＵＳＥ処理モード時の処理の一例を示す状態遷移フロー図である。
【図４】図１の車載用音響システムが行うＰＬＡＹ処理モード時の処理の一例を示す状態遷移フロー図である。
【図５】図１の車載用音響システムが行うＳＴＯＰ／ＰＡＵＳＥ処理モードからＰＬＡＹ処理モードへの移行時の処理の一例を示す状態遷移フロー図である。
【符号の説明】
１…フロント席用操作ユニット（第１の操作手段）
２…リヤ席用操作ユニット（第２の操作手段）
３…バス（伝送路）
４…スピーカ（情報出力手段）
５…ディスプレイ（情報出力手段）
６…ヘッドホン（情報出力手段）
７…ディスプレイ（情報出力手段）
１１，２１…操作部
１４，２４…制御部
１８…ユーザ別情報格納部（ユーザ特定情報記憶手段）
３１〜３９…オーディオ／映像ソース（音響ユニット）
ＲＥＳ…リヤ席用エンターテイメントシステム（リヤ席用音響システム）
【図１】
0004090682.tif 000002
【図２】
0004090682.tif 000003
【図３】
0004090682.tif 000004
【図４】
0004090682.tif 000005
【図５】
0004090682.tif 000006